(57)【要約】【課題】  内蔵したデジタル記録再生装置からの信号処理などを行うメイン回路基板と前記記録再生装置とをケーブルで接続する電子機器において、前記電子機器を構成する部品を用いて前記ケーブルから放射される輻射ノイズを抑えることにより、特殊電線を用いるとか別途部品を配置することによる材料コストの問題や、作業の煩雑さを招くといった問題を解消する。【解決手段】  金属製の電子機器筐体１３には、底面に金属製のカバー部材１８が配置されたＤＶＤ装置１１とデジタル信号を処理する信号処理回路基板２２とを並設配置して、両者を電気的に接続するデジタル信号ケーブル３０ａは前記ＤＶＤ装置１１底面のカバー部材１８と電子機器筐体１３の隙間に挟み込むことにより前記デジタル信号ケーブル３０ａから放射される輻射ノイズをシールドした。【選択図】      図１
2006092601.tif 000002
【特許請求の範囲】
【請求項１】
記録媒体に対して信号の読み書きを行うデジタル記録再生装置と、該デジタル記録再生装置の駆動を制御すると共に該デジタル記録再生装置からの信号処理を行うメイン回路基板とが並設配置された電子機器において、前記デジタル記録再生装置の外面において少なくとも底面を構成する部分は導電性を備えており、前記デジタル記録再生装置と前記メイン回路基板とが接続されるケーブルが、前記デジタル記録再生装置の底面を構成する導電性部分と電子機器筐体の床面とで挟み込んで配置させたことを特徴とするシールド構造を備えたデジタル電子機器。
【請求項２】
前記デジタル記録再生装置の底面を構成する導電性部分が、デジタル記録再生装置自体の底面部分であることを特徴とする請求項１記載のシールド構造を備えたデジタル電子機器。
【請求項３】
前記デジタル記録再生装置の底面には前記メイン回路基板と接続して該デジタル記録再生装置の信号を処理する信号処理回路基板が配置され、該信号処理回路基板の下側には導電性を有する保護板を配置して、該保護板と前記電子機器筐体の床面とで前記信号処理回路基板と前記メイン回路基板とが接続されるケーブルを挟み込んで配置させたことを特徴とする請求項１記載のシールド構造を備えたデジタル電子機器。
【請求項４】
前記デジタル記録再生装置の操作を行うための操作部と、動作状態などを表示する表示部と、外部の電子機器と接続するための入出力端子とを備え、前記操作部と前記表示部と前記入出力端子のいずれかと前記メイン回路基板とを接続する複数のケーブル類の中の少なくとも一つの接続ケーブルを前記デジタル記録再生装置の導電性の底面部分と電子機器筐体の床面とで挟み込んで配置させたことを特徴とする請求項１、２又は３記載のシールド構造を備えたデジタル電子機器。
【発明の詳細な説明】
【技術分野】
【０００１】
本発明は、記録再生装置の駆動を制御すると共に該記録再生装置からの信号処理などを行うメイン回路基板と前記記録再生装置とをフレキシブルフラットケーブルで電気的に接続する記録再生装置を内蔵した電子機器において、特にデジタル記録再生装置に接続されるフレキシブルフラットケーブルから放射される輻射ノイズを抑えるために導電性を有するデジタル記録再生装置の底面と電子機器筐体の床面とで挟み込んで配置させたシールド構造を備えた電子機器に関する。
【背景技術】
【０００２】
従来から複数の回路基板を接続するケーブル類から放射される不要輻射ノイズに有効な手段として、銅細線の編組で覆われたシールド電線や、或いは銅箔を巻きつけたシールド電線を用いるとか、ドーナッツ状のフェライト磁性部材にケーブルの一部を巻きつけるとか、電子回路上にコンデンサを配置するといった対策が採用されている。
【０００３】
このようなケーブル類における周波数干渉を抑える技術については、特許文献１に次のように提案されている。接続ジャンパで接続される少なくとも２枚の基板を筐体内に備える制御機器において、外部機器との信号の授受を行うコネクタに接続され、入力信号処理回路、出力信号処理回路、アナログ信号とデジタル信号との変換回路を備える入出力処理基板と、デジタル信号の処理を行うマイコンを備えた制御基板とを筐体内に略平行に配置し、両者を接続するジャンパの複数の信号線のうちノイズ影響を受け易い信号線を所定の抵抗値を有する金属で構成する方法が開示されている。
【０００４】
【特許文献１】実開平５−４５９０号公報
【発明の開示】
【発明が解決しようとする課題】
【０００５】
本発明は、従来において、ケーブル類における周波数干渉を抑えるために特殊電線を用いるとか別途部品を配置することによる材料コストの問題や、作業の煩雑さを招くといった問題を解消し、限定的には電子機器を構成するデジタル記録再生装置の底面と筐体によりケーブル類を挟み込むことにより組立工程の追加も必要とせず、ケーブル類から放射する不要輻射ノイズを抑えることを可能とするものである。従って、本質的に本発明は、電子機器を構成する導電性素材によりケーブル類を挟み込むことにより所望の目的のノイズ対策効果を得るものである。
【課題を解決するための手段】
【０００６】
請求項１のシールド構造を備えたデジタル電子機器は、記録媒体に対して信号の読み書きを行うデジタル記録再生装置と、該デジタル記録再生装置の駆動を制御すると共に該デジタル記録再生装置からの信号処理を行うメイン回路基板とが並設配置された電子機器において、前記デジタル記録再生装置の外面において少なくとも底面を構成する部分は導電性を備えており、前記デジタル記録再生装置と前記メイン回路基板とが接続されるケーブルが、前記デジタル記録再生装置の底面を構成する導電性部分と電子機器筐体の床面とで挟み込んで配置させたことを特徴とする。
【０００７】
請求項１の構成によれば、記録媒体に対して信号の読み書きを行うデジタル記録再生装置と、該デジタル記録再生装置の駆動を制御すると共に該デジタル記録再生装置からの信号処理を行うメイン回路基板とが並設配置された電子機器において、前記デジタル記録再生装置の外面において少なくとも底面を構成する部分は導電性を備えており、前記デジタル記録再生装置と前記メイン回路基板とが接続されるケーブルは前記記録媒体に対してデジタル信号の読み書きを行うデジタル記録再生装置と前記メイン回路基板とを接続されるケーブルはデジタル信号が伝達されるデジタル信号ケーブルであり、該デジタル信号ケーブルからは輻射ノイズが放射される。しかし、前記デジタル信号ケーブルは前記デジタル記録再生装置と前記メイン回路基板とが並設配置されたことにより前記デジタル記録再生装置の底面側に容易に引き出すことを可能にすると共に、前記デジタル記録再生装置の底面を構成する導電性部分と電子機器筐体の床面とで挟み込んで配置することが可能となり、前記デジタル信号ケーブルから放射される輻射ノイズは導電性を有する前記デジタル記録再生装置の底面と電子機器筐体の床面に容易に吸収することができる。
【０００８】
請求項２のシールド構造を備えたデジタル電子機器は、請求項１記載のシールド構造を備えたデジタル電子機器において、前記デジタル記録再生装置の底面を構成する導電性部分が、デジタル記録再生装置自体の底面部分であることを特徴とする。
【０００９】
請求項２の構成によれば、前記デジタル記録再生装置の底面を構成する導電性部分が、デジタル記録再生装置自体の底面部分であることにより、前記デジタル記録再生装置の底面を構成する導電性部分も必要とせず、デジタル記録再生装置自体の底面部分と電子機器筐体の床面とで挟み込んで配置することが可能となり、前記デジタル信号ケーブルから放射される輻射ノイズは導電性を有する前記デジタル記録再生装置自体の底面部分と電子機器筐体の床面に容易に吸収することができる。
【００１０】
請求項３のシールド構造を備えたデジタル電子機器は、請求項１記載のシールド構造を備えたデジタル電子機器において、前記デジタル記録再生装置の底面には前記メイン回路基板と接続して該デジタル記録再生装置の信号を処理する信号処理回路基板が配置され、該信号処理回路基板の下側には導電性を有する保護板を配置して、該保護板と前記電子機器筐体の床面とで前記信号処理回路基板と前記メイン回路基板とが接続されるケーブルを挟み込んで配置させたことを特徴とする。
【００１１】
請求項３の構成によれば、前記デジタル記録再生装置の底面には前記メイン回路基板と接続して該デジタル記録再生装置の信号を処理する信号処理回路基板が配置され、該信号処理回路基板の下側には導電性を有する保護板を配置して、該保護板と前記電子機器筐体の床面とで前記信号処理回路基板と前記メイン回路基板とが接続されるケーブルを挟み込んで配置させたことにより、前記デジタル記録再生装置の信号を処理する信号処理回路基板と前記メイン回路基板とを接続してデジタル信号が伝達されるデジタル信号ケーブルは、前記信号処理回路基板の下側に配置した導電性を有する保護板と前記電子機器筐体の床面とで挟み込んで簡単に配置することが可能となり、前記デジタル信号ケーブルから放射される輻射ノイズは導電性を有する前記保護板と電子機器筐体の床面に容易に吸収することができる。
【００１２】
請求項４のシールド構造を備えたデジタル電子機器は、請求項１、２又は３記載のシールド構造を備えたデジタル電子機器において、前記デジタル記録再生装置の操作を行うための操作部と、動作状態などを表示する表示部と、外部の電子機器と接続するための入出力端子とを備え、前記操作部と前記表示部と前記入出力端子のいずれかと前記メイン回路基板とを接続する複数のケーブル類の中の少なくとも一つの接続ケーブルを前記デジタル記録再生装置の導電性の底面部分と電子機器筐体の床面とで挟み込んで配置させたことを特徴とする。
【００１３】
請求項４の構成によれば、前記デジタル記録再生装置の操作を行うための操作部と、動作状態などを表示する表示部と、外部の電子機器と接続するための入出力端子とを備え、前記操作部と前記表示部と前記入出力端子のいずれかと前記メイン回路基板とを接続する複数のケーブル類の中の少なくとも一つの接続ケーブルを前記デジタル記録再生装置の導電性の底面部分と電子機器筐体の床面とで挟み込んで配置させたことにより、前記デジタル信号ケーブルから放射される輻射ノイズは、導電性を有する前記デジタル記録再生装置の底面を構成する導電性部分又は導電性を有する前記デジタル記録再生装置自体の底面或いは導電性を有する保護板と電子機器筐体の床面に容易に吸収され、前記所望するケーブルは前記輻射ノイズの影響を回避することができる。
【発明の効果】
【００１４】
請求項１の発明によれば、記録媒体に対して信号の読み書きを行うデジタル記録再生装置と、該デジタル記録再生装置の駆動を制御すると共に該デジタル記録再生装置からの信号処理を行うメイン回路基板とが並設配置された電子機器において、前記デジタル記録再生装置の外面において少なくとも底面を構成する部分は導電性を備えており、前記デジタル記録再生装置と前記メイン回路基板とが接続されるケーブルは前記記録媒体に対してデジタル信号の読み書きを行うデジタル記録再生装置と前記メイン回路基板とを接続されるケーブルはデジタル信号が伝達されるデジタル信号ケーブルであり、該デジタル信号ケーブルからは輻射ノイズが放射される。しかし、前記デジタル信号ケーブルは前記デジタル記録再生装置と前記メイン回路基板とが並設配置されたことにより前記デジタル記録再生装置の底面側に容易に引き出すことを可能にすると共に、前記デジタル記録再生装置の底面を構成する導電性部分と電子機器筐体の床面とで挟み込んで配置することが可能となり、前記デジタル信号ケーブルから放射される輻射ノイズは導電性を有する前記デジタル記録再生装置の底面と電子機器筐体の床面に容易に吸収してシールド効果を得ることができるので、アナログ信号を含む他のケーブル類やメイン回路基板は前記輻射ノイズによる周波数干渉を大幅に軽減することができる。また、前記シールド効果を有するデジタル記録再生装置の底面を構成する導電性部分と電子機器筐体の床面はいずれも電子機器の構成物であり、シールド効果を得るための部品などを別に設ける必要は無いことから、別の部品を取り付けるための工数も必要としないのでコストダウンを実現することができる。また、前記ケーブル類はデジタル記録再生装置の底面を構成する導電性部分と電子機器筐体の床面との間に挟み込んで収納される構成であり、ケーブルを固定する手段を別に設ける必要もない。
【００１５】
請求項２の発明によれば、前記デジタル記録再生装置の底面を構成する導電性部分が、デジタル記録再生装置自体の底面部分であることにより、前記デジタル記録再生装置の底面を構成する導電性部分も必要とせず、デジタル記録再生装置自体の底面部分と電子機器筐体の床面とで挟み込んで配置することが可能となり、前記デジタル信号ケーブルから放射される輻射ノイズは導電性を有する前記デジタル記録再生装置自体の底面部分と電子機器筐体の床面に容易に吸収することができる。
【００１６】
請求項３の発明によれば、前記デジタル記録再生装置の底面には前記メイン回路基板と接続して該デジタル記録再生装置の信号を処理する信号処理回路基板が配置され、該信号処理回路基板の下側には導電性を有する保護板を配置して、該保護板と前記電子機器筐体の床面とで前記信号処理回路基板と前記メイン回路基板とが接続されるケーブルを挟み込んで配置させたことにより、前記デジタル記録再生装置の信号を処理する信号処理回路基板と前記メイン回路基板とを接続してデジタル信号が伝達されるデジタル信号ケーブルは、前記信号処理回路基板の下側に配置した導電性を有する保護板と前記電子機器筐体の床面とで挟み込んで簡単に配置することが可能となり、前記デジタル信号ケーブルから放射される輻射ノイズは導電性を有する前記保護板と電子機器筐体の床面に容易に吸収することができるので、アナログ信号を含む他のケーブル類やメイン回路基板は前記輻射ノイズによる周波数干渉を大幅に軽減することができる。
【００１７】
請求項４の発明によれば、前記デジタル記録再生装置の操作を行うための操作部と、動作状態などを表示する表示部と、外部の電子機器と接続するための入出力端子とを備え、前記操作部と前記表示部と前記入出力端子のいずれかと前記メイン回路基板とを接続する複数のケーブル類の中の少なくとも一つの接続ケーブルを前記デジタル記録再生装置の導電性の底面部分と電子機器筐体の床面とで挟み込んで配置させたことにより、前記デジタル信号ケーブルから放射される輻射ノイズは、導電性を有する前記デジタル記録再生装置の底面を構成する導電性部分又は導電性を有する前記デジタル記録再生装置自体の底面或いは導電性を有する保護板と電子機器筐体の床面に容易に吸収され、前記所望するケーブルは前記輻射ノイズの影響を回避することができるので、挟み込んで配置されたケーブルは前記輻射ノイズによる周波数干渉の影響を回避することができる。
【発明を実施するための最良の形態】
【００１８】
以下、本発明を実施するための最良の形態としての実施例を図１から図３により以下に説明する。図１は本発明における第一実施例を示すシールド構造を備えた電子機器の全体構成を示す説明図であり、図２、及び図３は本発明における第二実施例を示す説明図である。図２はデジタル記録再生装置の底面に取り付ける信号処理回路基板及び保護板と、電子機器筐体に組み込むためのアングルを取り付ける構成を示す説明図である。続いて、図３は電子機器筐体に配置されたメイン回路基板と信号処理回路基板とを接続するケーブルが接続される前の状態を示す説明図である。もちろん、本発明は、その発明の趣旨に反さない範囲で、実施例において説明した以外のものに対しても容易に適用可能なことは説明を要するまでもない。
【実施例１】
【００１９】
図１に示す電子機器１０はアナログ信号系の記録再生装置であるＶＴＲ（Ｖｉｄｅｏ  Ｔａｐｅ  Ｒｅｃｏｒｄｅｒ）装置１２と、図示しない記録媒体が収納され底面に金属製のカバー部材１８が配置されたデジタル信号系の記録再生装置であるＤＶＤ（Ｄｉｇｉｔａｌ  Ｖｅｒｓａｔｉｌ  Ｄｉｓｃ）装置１１を内蔵した電子機器１０である。図の中央には金属製の電子機器筐体１３があり、該電子機器筐体１３の左側手前に前面パネル１４が、上部には金属製の筐体カバー１５があり、前記ＤＶＤ装置１１と樹脂製の前面パネル１４の間には操作部２３がある。図１はこれらを複数のネジ４０などにより組みつけられる前の状態を示している。さらに前記電子機器筐体１３の床面１３ａ上には手前右側に前記ＤＶＤ装置１１がアングル１６を介して取り付けられており、このＤＶＤ装置１１の後ろ側には電子機器筐体１３内に配置される図示しない電子部品から放出される熱を排出するための冷却ファン２６と電源回路基板２０が配置されている。また、前記電子機器筐体１３の略中央には電子機器筐体１３の手前側から奥に至る金属製の仕切り板１７が取り付けられており、前記ＤＶＤ装置１１の配置エリアを間仕切りしている。次に前記電子機器筐体１３の左側（図では左上側）で前記仕切り板１７に隔てられたエリアにはメイン回路基板２１が配置され、その上部に前記ＶＴＲ装置１２が配置され、該ＶＴＲ装置１２の手前側には前記電子機器１０の動作状態などを表示する表示部２４が配置されている。
【００２０】
図１に示す電子機器１０は、メイン回路基板２１やＶＴＲ装置及びＤＶＤ装置などに図示しないケーブルにより電源を供給する電源回路基板２０と、前記ＤＶＤ装置１１やＶＴＲ装置１２の駆動を制御する駆動制御回路部と、前記ＤＶＤ装置１１やＶＴＲ装置１２で読み書きされた映像／音声信号を符号化又は複号化、及び変換するなどの信号処理を行う信号処理回路部と、さらにこれら全体を制御する制御回路部などで構成されたメイン回路基板２１が配置されており、前記メイン回路基板２１は前記ＤＶＤ装置１１やＶＴＲ装置１２と信号ケーブル３０により接続されている。図１では前記メイン回路基板２１とＤＶＤ装置１１が並設配置されたことにより、ＤＶＤ装置１１の下側に破線で示す３本の信号ケーブル３０がメイン回路基板２１から前記電子機器筐体１３の略中央に配置された仕切り板１７の開口を介してＤＶＤ装置１１の底面と筐体床面１３ａの隙間に引き出され、折り返されて前記ＤＶＤ装置１１の左側面と接続されている。前記３本の信号ケーブル３０の長さは、電子機器１０を組み立てる段階で電子機器筐体１３には先に電源回路基板２０やメイン回路基板２１を電子機器筐体１３に取り付け、ＤＶＤ装置１１は後で取り付けるため、取り付けに必要な信号ケーブル３０の余長分が必要となったことによる。また、図１にはＤＶＤ装置１１の底面に共に同じく破線で示す１本の信号ケーブル３０が前記メイン回路基板２１から引き出されてＤＶＤ装置１１の下を通り前面パネル１４寄りの操作部２３と接続されようとしている。なお、本実施例においては前記入出力端子２５と表示部２４は前記メイン回路基板２１に直接配置され、接続されているのでメイン回路基板２１と接続するケーブルは使用されていない。
【００２１】
図１に示す第一実施例において、前記ＤＶＤ装置１１とメイン回路基板２１とを接続する３本の信号ケーブル３０はデジタル信号を伝達するデジタル信号ケーブル３０ａであり、前記操作部２３とメイン回路基板２１とを接続する１本の信号ケーブル３０はアナログ信号ケーブル３０ｂである。前記ＤＶＤ装置１１と接続されたデジタル信号ケーブル３０ａから放射される輻射ノイズはＤＶＤ装置１１の底面を覆う金属製のカバー部材１８と金属製の電子機器筐体１３に簡単な作業で挟み込まれ、前記金属製のカバー部材１８と電子機器筐体１３によって吸収されるので、前記操作部２３とメイン回路基板２１とを接続するアナログ信号ケーブル３０ｂは前記輻射ノイズによる周波数干渉の影響を受けることを回避することができる。
【実施例２】
【００２２】
続いて図２、図３により第二実施例について説明する。本実施例は図２に示すようにＤＶＤ装置１１の下側には一般にＭＰＥＧ基板（Ｍｏｖｉｎｇ
Ｐｉｃｔｕｒｅ Ｅｘｐｅｒｔｓ Ｇｒｏｕｐ規格に基づく回路構成をした基板）と呼ばれＤＶＤ装置１１の映像／音声信号を符号化及び複号化するなどの処理を行う信号処理回路基板２２が配置されて電気的に接続されている。さらにその下側に保護板１９が配置され、該保護板１９により前記信号処理回路基板２２が図示しない他の電子部品やケーブルと接触することや前記信号処理回路基板２２から放射される輻射ノイズを遮断している。また、前記ＤＶＤ装置１１は左右に配置したアングル１６に支持されて図示しない筐体に載置される。
【００２３】
図３に示す金属製の電子機器筐体１３には図１と同様に前記電子機器筐体１３の略中央には電子機器筐体１３の手前側から奥に至る金属製の仕切り板１７が取り付けられており、前記ＤＶＤ装置１１の配置エリアとメイン回路基板２１の配置エリアを間仕切りしている。電子機器筐体１３の右手前側には前記図２に示したＤＶＤ装置１１があり、該ＤＶＤ装置１１の下側に信号処理回路基板２２と保護板１９が配置され、このＤＶＤ装置１１は両側面をアングル１６で支持されている。一方、電子機器筐体１３には仕切り板１７の左側にメイン回路基板２１が配置されメイン回路基板２１の右側縁から前記仕切り板１７の開口を介して３本のデジタル信号ケーブル３０ａが引き出され、前記ＤＶＤ装置１１の左側縁で接続可能としている。また、同様に１本のアナログ信号ケーブル３０ｂが電子機器筐体１３の前面側まで引き出され、図示しない操作部と接続可能としている。さらに前記ＤＶＤ装置１１が載置されるエリアの後ろ側には電子機器筐体１３内に配置される図示しない電子部品から放出される熱を排出するための冷却ファン（図示略）が配置されるエリアが有り、電源回路基板２０も配置されている。
【００２４】
図３において、前記ＤＶＤ装置１１が載置される位置に引き出された４本の信号ケーブル３０はいずれもＤＶＤ装置１１の下側に配置された保護板１９と電子機器筐体１３に挟みこまれる。このうち、前記ＤＶＤ装置１１とメイン回路基板２１とを接続する３本の信号ケーブル３０はデジタル信号を伝達するデジタル信号ケーブル３０ａであり、前記操作部２３とメイン回路基板２１とを接続する１本の信号ケーブル３０はアナログ信号ケーブル３０ｂである。前記ＤＶＤ装置１１と接続されたデジタル信号ケーブル３０ａから放射される輻射ノイズはＤＶＤ装置１１の底面を覆う金属製の保護板１９と金属製の電子機器筐体１３によって吸収されるので、前記操作部２３とメイン回路基板２１とを接続するアナログ信号ケーブル３０ｂは前記輻射ノイズによる周波数干渉の影響を回避することができる。
【００２５】
以上により、本発明はＤＶＤ装置１１とメイン回路基板２１とを接続し、輻射ノイズを放出し易いデジタル信号ケーブル３０ａは、ＤＶＤ装置１１の底面に配置された金属製のカバー部材１８や保護板１９と、筐体床面１３ａにより簡単に挟み込んで配置することができるので、前記デジタル信号ケーブル３０ａから放射される輻射ノイズは金属製のカバー部材１８や保護板１９と、筐体床面１３ａによるシールド効果により吸収することができる。これにより、図示しない他のアナログ信号ケーブル３０ｂやメイン回路基板２１は前記輻射ノイズによる周波数干渉を大幅に軽減することができる。また、前記シールド効果を有するＤＶＤ装置１１の底面と電子機器筐体１３の床面１３ａはいずれも電子機器１０の構成物であり、シールド効果を得るための部品などを別に設ける必要は無く、これら別に設ける部品を取り付けるための工数も必要としないのでコストダウンを実現することができる。また、本実施例ではＤＶＤ装置１１を内蔵した電子機器１０により説明したが、本発明におけるデジタル記録再生装置はＤＶＤ装置１１に限らずＨＤＤ（Ｈａｒｄ  Ｄｉｓｋ  Ｄｒｉｖｅ）装置などでもよく、該ＨＤＤ装置の場合は導電性フレームが外周面を全て覆っているので、前述の実施例１に示したＤＶＤ装置１１の底面を構成する導電性部分のカバー部材８は不要であり、デジタル信号ケーブル３０ａを挟み込んで輻射ノイズを遮断する場所も前記ＨＤＤ装置の周囲に配置された仕切り板１７や電子機器筐体１３の側板、或いは筐体カバー１５などとの隙間でもよく、筐体床面１３ａとＤＶＤ装置１１底面との隙間に限定されるものではない。
【００２６】
また、前記デジタル信号ケーブル３０ａから放射される輻射ノイズは金属製のカバー部材１８や保護板１９と、金属製の電子機器筐体１３によるシールド効果により吸収されるので、電子機器１０内に配置される各種の回路基板や内蔵される各種の電子装置及び電子部品などの組み立て作業を行うにあたり信号ケーブル３０に余長が必要となってしまった場合においては、該信号ケーブル３０の余長は前記シールド効果を有する電子機器筐体１３と導電性を有する板状の平面との間に挟みこむことにより、前記信号ケーブル３０は前記輻射ノイズによる相互の周波数干渉の影響を回避することができる。また、前記信号ケーブル３０はＤＶＤ装置１１などの底面に折り曲げて挟み込むだけで収納される構成であり、前記信号ケーブル３０を固定する手段を別に設ける必要もなく信号ケーブル３０の長さが長くても容易に収納することが可能である。
【００２７】
以上により、前記デジタル信号ケーブル３０ａとアナログ信号ケーブル３０ｂ相互の周波数干渉を抑えるために特殊電線を用いるとか別途部品を配置することによる材料コストの問題や、作業の煩雑さを招くといった問題を解消し、電子機器１０を構成するＤＶＤ装置１１などの底面と電子機器筐体１３により信号ケーブル３０を挟み込むことにより組立工程の追加も必要とせず、デジタル信号ケーブル３０ａから放射される不要輻射ノイズを抑えることを可能とするものである。従って、本質的に本発明は、電子機器１０を構成する金属などの導電性素材で構成される向かい合った平面隙間に前記信号ケーブル３０を挟み込むことにより所望の目的のノイズ対策効果を得るものである。
【００２８】
以上、本実施例を詳述したが、本発明は、前記実施例に限定されるものではなく、本発明の要旨の範囲内で種々の変形実施が可能である。例えば、前記デジタル信号ケーブル３０ａを挟み込んで輻射ノイズを防止する電子機器１０の構成部材は導電性を有する電子機器１０の電子機器筐体１３の一部を折り曲げて形成した側壁や切り出して形成した仕切り板１７などと、図示しないＨＤＤ装置などを覆う導電性フレーム外周面との隙間でもよく、周波数干渉の影響を受け易い信号ケーブル３０を導電性の平面で挟み込むことが可能な状態であればよく、また、他の電子部品や内蔵される装置類を支持するなど他の目的で設けられた導電性の平面を利用するなど前記実施例に限定されるものではなく、適宜選定すればよい。
【図面の簡単な説明】
【００２９】
【図１】本発明における第一実施例を示すシールド構造を備えた電子機器の全体構成を示す説明図である。
【図２】本発明における第二実施例を示すデジタル記録再生装置の構成を示す説明図である。
【図３】本発明における第二実施例を示すデジタル記録再生装置を電子機器筐体に配置してケーブルを接続する状態の説明図である。
【符号の説明】
【００３０】
１０        電子機器
１１        ＤＶＤ装置（デジタル記録再生装置）
１３        電子機器筐体
１８        カバー部材
１９        保護板
２１        メイン回路基板（アナログ／デジタル系回路基板）
２２        信号処理回路基板（デジタル系回路基板）
２３        操作部
２４        表示部
２５        入出力端子
３０        信号ケーブル
３０ａ      デジタル信号ケーブル
３０ｂ      アナログ信号ケーブル
【図１】
2006092601.tif 000003
【図２】
2006092601.tif 000004
【図３】
2006092601.tif 000005